(57)【要約】【課題】装置の動作状況に応じて画像を表示することでユーザの利便性が向上する、医療用診療システムおよび医療用診療装置を提供する。【解決手段】診療システム１０００は、診療を行うための診療装置１０と、設定画像を表示する表示装置１００と、設定画像を管理する管理装置２００とを備え、診療装置１０は、当該診療装置１０の動作状況に応じて設定画像を設定する診療制御部１２と、診療制御部１２で設定された診療装置１０の動作状況に至った場合に、当該動作状況に基づく特定信号を管理装置２００に出力する出力部１５とを含み、管理装置２００は、出力部１５からの特定信号に基づいて、診療制御部１２で設定された設定画像を特定する特定部２３０を含み、表示装置１００は、特定部２３０で特定された設定画像を表示モニタ１２０に表示する。【選択図】図４
2019055025.tif 000002
【特許請求の範囲】
【請求項１】
診療を行うための医療用診療装置と、
前記医療用診療装置に関連する画像を表示する表示装置と、
前記表示装置に表示される画像を管理する管理装置とを備え、
前記医療用診療装置は、
当該医療用診療装置の動作状況に応じて前記表示装置に表示される画像を設定する設定部と、
前記設定部で設定された当該医療用診療装置の動作状況に至った場合に、当該動作状況に基づく特定信号を前記管理装置に出力する出力部とを含み、
前記管理装置は、前記出力部からの前記特定信号に基づいて、前記設定部で設定された設定画像を特定する特定部を含み、
前記表示装置は、前記特定部で特定された前記設定画像を表示する、医療用診療システム。
【請求項２】
前記医療用診療装置は、当該医療用診療装置の動作状況に応じて表示態様が切り替わる表示部を含み、
前記設定部は、前記表示部の表示態様に応じて前記設定画像を設定する、請求項１に記載の医療用診療システム。
【請求項３】
前記医療用診療装置は、診療を行うための診療機器を含み、
前記設定部は、前記診療機器の使用状況に応じて前記設定画像を設定する、請求項１または請求項２に記載の医療用診療システム。
【請求項４】
前記医療用診療装置は、当該医療用診療装置の動作状況と、当該動作状況に対応する画像とを対応付ける対応情報を記憶する記憶部を含み、
前記設定部は、前記対応情報を更新することで、前記医療用診療装置の動作状況に応じて前記設定画像を設定し、
前記出力部は、前記設定部で設定された当該医療用診療装置の動作状況に至った場合に、前記対応情報に基づいて、当該動作状況に対応する前記設定画像を示す信号を前記特定信号として前記管理装置に出力する、請求項１〜請求項３のいずれか１項に記載の医療用診療システム。
【請求項５】
前記管理装置は、前記医療用診療装置の動作状況と、当該動作状況に対応する画像とを対応付ける対応情報を記憶する記憶部を含み、
前記設定部は、前記管理装置に前記対応情報を更新させることで、前記医療用診療装置の動作状況に応じて前記設定画像を設定し、
前記出力部は、前記設定部で設定された当該医療用診療装置の動作状況に至った場合に、当該動作状況を示す信号を前記特定信号として前記管理装置に出力し、
前記特定部は、前記出力部からの前記特定信号と、前記対応情報とに基づいて、前記設定画像を特定する、請求項１〜請求項３のいずれか１項に記載の医療用診療システム。
【請求項６】
前記医療用診療装置は、ユーザによって操作される操作部を含み、
前記設定部は、前記操作部に対するユーザの操作に基づいて、前記設定画像を設定する、請求項１〜請求項５のいずれか１項に記載の医療用診療システム。
【請求項７】
前記管理装置は、前記表示装置に表示される画像をネットワークを介して取得する取得部を含み、
前記設定部は、前記医療用診療装置の動作状況に応じて、前記取得部によって取得された画像を、前記設定画像として設定する、請求項１〜請求項６のいずれか１項に記載の医療用診療システム。
【請求項８】
前記設定部は、前記医療用診療装置の動作状況に応じて、電子文書が示された画像を、前記設定画像として設定する、請求項１〜請求項７のいずれか１項に記載の医療用診療システム。
【請求項９】
診療を行うための医療用診療装置であって、
当該医療用診療装置の動作状況に応じて、表示装置に表示される当該医療用診療装置に関連する画像を設定する設定部と、
前記設定部で設定された当該医療用診療装置の動作状況に至った場合に、当該動作状況に基づく特定信号を、前記表示装置に表示される画像を管理する管理装置に出力する出力部とを含み、
前記出力部は、前記特定信号を前記管理装置に出力することで、当該管理装置に前記設定部で設定された設定画像を前記表示装置に表示させる、医療用診療装置。
【発明の詳細な説明】
【技術分野】
【０００１】
本発明は、医療用診療システムおよび医療用診療装置に関する。
【背景技術】
【０００２】
従来から、装置の動作状況に応じて画像を表示する装置が知られている。たとえば、特許文献１には、異常を検出した場合に、検出した異常に対応するための一連の操作手順が記載されている該当ページを表示する検体処理装置を開示する。
【先行技術文献】
【特許文献】
【０００３】
【特許文献１】特許第５７９２５０８号公報
【発明の概要】
【発明が解決しようとする課題】
【０００４】
特許文献１に開示された検体処理装置では、ユーザは、表示された該当ページを参照することで、異常に対応するための一連の操作手順を把握することができるが、異常が検出された場合には、常に同じ該当ページが表示される。このため、該当ページを参照する必要がないユーザ、または異常が検出された場合に他の画像を表示させたいユーザにとっては、装置の動作状況に応じて画像を表示させても利便性が乏しかった。
【０００５】
本発明は、上記の課題を解決するためになされたものであり、装置の動作状況に応じて画像を表示することでユーザの利便性が向上する、医療用診療システムおよび医療用診療装置を提供することを目的とする。
【課題を解決するための手段】
【０００６】
本発明に係る医療用診療システムは、診療を行うための医療用診療装置と、医療用診療装置に関連する画像を表示する表示装置と、表示装置に表示される画像を管理する管理装置とを備える。医療用診療装置は、当該医療用診療装置の動作状況に応じて表示装置に表示される画像を設定する設定部と、設定部で設定された当該医療用診療装置の動作状況に至った場合に、当該動作状況に基づく特定信号を管理装置に出力する出力部とを含む。管理装置は、出力部からの特定信号に基づいて、設定部で設定された設定画像を特定する特定部を含む。表示装置は、特定部で特定された設定画像を表示する。
【０００７】
本発明に係る医療用診療装置は、診療を行うための医療用診療装置であって、当該医療用診療装置の動作状況に応じて、表示装置に表示される当該医療用診療装置に関連する画像を設定する設定部と、設定部で設定された当該医療用診療装置の動作状況に至った場合に、当該動作状況に基づく特定信号を、表示装置に表示される画像を管理する管理装置に出力する出力部とを含む。出力部は、特定信号を管理装置に出力することで、当該管理装置に設定部で設定された設定画像を表示装置に表示させる。
【発明の効果】
【０００８】
本発明に係る医療用診療システムは、ユーザの利便性を向上させながら動作状況に応じて画像を表示することができる。
【図面の簡単な説明】
【０００９】
【図１】本実施の形態に係る医療用診療システムを示す概略図である。
【図２】本実施の形態に係る医療用診療システムの内部構成を概略的に示すブロック図である。
【図３】初期設定時の対応情報テーブルの一例を説明するための図である。
【図４】ユーザ設定時の対応情報テーブルの一例を説明するための図である。
【図５】初期設定時におけるメニュー画面に対応する設定画像の一例を説明するための図である。
【図６】ユーザ設定時におけるメニュー画面に対応する設定画像の一例を説明するための図である。
【図７】初期設定時におけるマイクロモータハンドピースの設定画面に対応する設定画像の一例を説明するための図である。
【図８】ユーザ設定時におけるマイクロモータハンドピースの設定画面に対応する設定画像の一例を説明するための図である。
【図９】初期設定時におけるメンテナンスの手順画面に対応する設定画像の一例を説明するための図である。
【図１０】ユーザ設定時におけるメンテナンスの手順画面に対応する設定画像の一例を説明するための図である。
【図１１】変形例に係る診療システムの内部構成を概略的に示すブロック図である。
【発明を実施するための形態】
【００１０】
本実施の形態について、図面を参照しながら説明する。本実施の形態においては、医療用診療システムの１つの例示的形態として、歯科診療に用いることが可能な医療用診療装置を備える医療用診療システムについて説明する。なお、本実施の形態に係る医療用診療システムは、歯科に限らず、眼科、耳鼻咽喉科、放射線科、および獣医科など、あらゆる医科の診療にも適用することが可能である。また、診療には、診断および治療が含まれる。
【００１１】
[医療用診療システムの概要]
図１は、本実施の形態に係る医療用診療システム１０００を示す概略図である。図２は、本実施の形態に係る医療用診療システム１０００の内部構成を概略的に示すブロック図である。なお、以下では、「医療用診療システム」を単に「診療システム」と称し、「医療用診療装置」を単に「診療装置」と称する。
【００１２】
図１および図２に示すように、診療システム１０００は、術者などのユーザが患者に対して診療を行うための診療装置１０と、診療装置１０に関連する画像を表示する表示装置１００と、表示装置１００に表示される画像を管理する管理装置２００とを備える。管理装置２００は、診療装置１０と表示装置１００とに通信可能に接続されている。本実施の形態に係る診療システム１０００において、表示装置１００は、管理装置２００によって管理されている画像の中から、診療装置１０の動作状況に応じて所定の画像を表示する。
【００１３】
診療装置１０の「動作状況」とは、診療装置１０の状態、診療装置１０の動作、および診療装置１０の機能など、ユーザが診療装置１０を使用することで変化する診療装置１０に関する事項全般（使用場面，使用シーンとも言える）を意味する。
【００１４】
たとえば、診療装置１０の「動作状況」には、診療装置１０が備える後述する操作モニタ９の表示態様が含まれる。操作モニタ９の表示態様は、操作モニタ９に表示されるアイコン画像をユーザが押圧操作することで変化する。つまり、本実施の形態においては、ユーザがアイコン画像を押圧操作することで、操作モニタ９に表示される画像が切り替わり、このように操作モニタ９の表示態様が切り替わることが、診療装置１０の動作状況が変化することに対応する。
【００１５】
また、診療装置１０の「動作状況」には、診療装置１０が備える後述する診療器具４などの診療機器の使用状況が含まれる。たとえば、後述するように、診療器具４は、インスツルメントホルダ３０によって保持されている。ユーザが、診療器具４をインスツルメントホルダ３０から取り出すと、取り出された診療器具４を設定するための画面に操作モニタ９の表示態様が切り替わる。つまり、本実施の形態においては、ユーザが診療器具４をインスツルメントホルダ３０から取り出すことで、操作モニタ９に表示される画像が切り替わり、このように診療器具４の使用状況が変化することが、診療装置１０の動作状況が変化することに対応する。なお、本実施の形態においては、診療器具４をインスツルメントホルダ３０から取り出すと、操作モニタ９に表示される画像が必ず切り替わるが、操作モニタ９に表示される画像が切り替わらなくてもよい。この場合であっても、ユーザが診療器具４をインスツルメントホルダ３０から取り出すことで診療器具４の使用状況が変化することが、診療装置１０の動作状況が変化することに対応する。
【００１６】
このように、診療システム１０００においては、診療装置１０の動作状況に応じて所定の画像が表示装置１００に表示されるが、動作状況に応じて常に同じ画像が表示されるものであると、その画像が必ずしもユーザにとって必要な画像でない場合もあり得る。そこで、以下で説明するように、診療システム１０００は、診療装置１０の動作状況に応じて表示装置１００に表示される画像をユーザがカスタマイズできるように構成されている。
【００１７】
なお、以下では、操作モニタ９に表示される画像を「操作画像」と称し、表示装置１００に表示される画像のうち、診療装置１０の動作状況に応じて設定された画像を「設定画像」と称する。設定画像には、診療装置１０の導入初期から表示装置１００に表示するように設定されている初期設定時の設定画像と、ユーザによってカスタマイズされた上で表示装置１００に表示するように設定されたユーザ設定時の設定画像とが含まれる。つまり、表示装置１００は、診療装置１０に関連する様々な画像を表示することができ、初期設定時においては、その様々な画像のうちから診療装置１０の動作状況に応じて少なくとも１つ以上の設定画像が予め設定されている。診療装置１０が導入された後、ユーザは、様々な画像のうちから所望の設定画像を選択して、診療装置１０の動作状況に応じて自身の好きな設定画像を対応付けることができる。
【００１８】
[診療装置の構成]
診療装置１０は、診療椅子１と、フートコントローラ５と、トレーテーブル３と、制御装置２０と、インスツルメントホルダ３０と、操作パネル８と、ベースンユニット２と、照明装置７とを備える。
【００１９】
診療椅子１は、患者の頭を支えるヘッドレスト１ａと、患者の背中を支える背もたれ１ｂと、患者の尾尻を支える座面シート１ｃと、患者の足を支える足置き台１ｄとを含む。ヘッドレスト１ａ、背もたれ１ｂ、座面シート１ｃ、および足置き台１ｄのそれぞれは、シート駆動部１１の制御に基づき駆動する。
【００２０】
フートコントローラ５は、ユーザの足踏み操作を受け付ける複数のスイッチ（ペダル）を有する。ユーザは、これら複数のスイッチそれぞれに対して所定の機能を割り当てることができる。たとえば、ユーザは、後述する診療器具４を駆動する機能をフートコントローラ５のスイッチに対して割り当てることができる。フートコントローラ５は、診療器具４を駆動する機能が割り当てられたスイッチに対して足踏み操作されると、診療制御部１２に制御信号を出力する。診療制御部１２は、制御信号に基づき診療器具４を駆動する。
【００２１】
トレーテーブル３は、診療時の物置台として用いられる。トレーテーブル３は、診療椅子１または床から延びるアーム（図示は省略する）に接続されている。このため、ユーザは、トレーテーブル３を診療椅子１に対して手動で回動、水平移動、および垂直移動させることが可能である。
【００２２】
制御装置２０は、トレーテーブル３の底面に設けられている。制御装置２０は、診療制御部１２と、診療記憶部１３と、出力部１５とを含む。
【００２３】
診療制御部１２は、複数の診療器具４ａ，４ｂ，４ｃ，４ｄ，４ｅ（以下、まとめて「診療器具４」と称する）と、シート駆動部１１と、インスツルメントホルダ３０と、操作パネル８と、操作モニタ９と、タッチパネル９ａと、ベースンユニット２とに接続されている。診療制御部１２は、図示しない基板上に実装されたＣＰＵ（Central Processing Unit）、ＲＯＭ（Read Only Memory）、およびＲＡＭ（Random Access Memory）などによって構成される。
【００２４】
診療器具４は、たとえば、エアータ−ビンハンドピース、マイクロモータハンドピース、スケーラ、およびシリンジ（たとえば、スリーウェイシリンジ）などの診療用のインスツルメントである。なお、診療器具４は、これらに限らず、口腔内カメラ、光重合用照射器、根管長測定器、および根管拡大器などであってもよいし、鏡や注射器など、駆動しない器具であってもよい。
【００２５】
本実施の形態の診療器具４としては、診療器具４ａ〜４ｅの５種類が用意されている。たとえば、診療器具４ａおよび診療器具４ｂは、エアータ−ビンハンドピースである。診療器具４ｃは、マイクロモータハンドピースである。診療器具４ｄは、スケーラである。診療器具４ｅは、スリーウェイシリンジである。
【００２６】
診療制御部１２は、フートコントローラ５に対するユーザの操作に基づき各診療器具４を駆動する。たとえば、ユーザが、フートコントローラ５におけるエアータ−ビンハンドピースを駆動するためのスイッチを足踏み操作すると、診療制御部１２は、シート駆動部１１からの制御信号に基づき、エアータ−ビンハンドピースのヘッド部に保持される切削工具を回転させる。
【００２７】
インスツルメントホルダ３０は、各診療器具４を保持する保持部材である。診療制御部１２は、インスツルメントホルダ３０からの信号に基づき、診療器具４に対するインスツルメントホルダ３０による保持が解除されたことを特定する。たとえば、マイクロモータハンドピースである診療器具４ｃがインスツルメントホルダ３０から取り出されると、インスツルメントホルダ３０による診療器具４ｃの保持が解除され、診療器具４ｃが選択された状態になる。
【００２８】
操作パネル８は、各種の機能を設定するための複数のスイッチを点灯させる。ユーザは、操作パネル８において点灯しているスイッチを押圧操作することにより、押圧操作したスイッチに対応する機能を診療装置１０に発揮させることができる。
【００２９】
操作パネル８上には、タッチパネル９ａが貼り付けられた操作モニタ９が設けられている。操作モニタ９は、診療制御部１２の制御に基づき様々な画像を表示する。たとえば、操作モニタ９は、診療椅子１、各診療器具４、ベースンユニット２、および照明装置７などの診療機器を操作するためのアイコン画像、これら診療機器を設定するためのアイコン画像などを表示する。さらに、操作モニタ９は、ブックマークアイコン画像を表示する。ユーザは、ある操作画像が操作モニタ９に表示されているときに、カスタマイズによって自身の好きな設定画像を表示装置１００に表示させた上でブックマークアイコン画像を押圧操作すると、その操作画像とカスタマイズした設定画像とを対応付けることができる。そうすることで、ユーザは、その操作画像が操作モニタ９に表示される度に、カスタマイズした設定画像を表示装置１００に表示させることができる。なお、操作モニタ９は、「表示部」の一実施形態である。また、タッチパネル９ａ上に表わされたブックマークアイコン画像は、「操作部」の一実施形態である。
【００３０】
ベースンユニット２は、図１に示すように、診療椅子１の側部に備え付けられている。ベースンユニット２は、排水口が形成された鉢２ａと、コップが載置されるコップ台２ｂと、コップに給水するための給水栓２ｃとを含む。患者は、給水栓２ｃによってコップに給水された水でうがいをすることができる。図２に示すように、ベースンユニット２は、ベースン制御部１６を含む。ベースン制御部１６は、診療装置１０で用いられる水の流れを制御する。さらに、ベースンユニット２は、照明制御部１７を含む。照明制御部１７は、照明装置７の照明および消灯を制御する。
【００３１】
診療制御部１２は、診療記憶部１３に接続されている。診療記憶部１３は、図示しない基板上に実装された、ＲＯＭおよびＲＡＭなどによって構成される。
【００３２】
診療制御部１２は、診療装置１０の動作状況に応じて表示装置１００の設定画像を設定する。具体的には、診療制御部１２は、操作モニタ９に表示中の操作画像を認識している。また、診療制御部１２は、管理装置２００からの画像データに基づいて、表示装置１００に表示中の設定画像を認識している。診療制御部１２は、ユーザによってブックマークアイコン画像が押圧操作されると、その時点で操作モニタ９に表示中の操作画像を特定するための操作画像ＩＤと、表示装置１００に表示中の設定画像を特定するための設定画像ＩＤとを対応付け、診療記憶部１３に記憶された対応情報テーブルに、両者を格納する。このように、ユーザによってブックマークアイコン画像が押圧操作されることで、対応情報テーブルが更新される。なお、診療制御部１２は、「設定部」の一実施形態に対応する。
【００３３】
診療制御部１２は、出力部１５を介して、管理装置２００と通信可能に接続されている。出力部１５は、診療記憶部１３に記憶された対応情報テーブルに基づいて、設定画像ＩＤを特定可能な特定信号を管理装置に出力する。
【００３４】
[管理装置の構成]
管理装置２００は、取得部２１０と、管理記憶部２２０と、特定部２３０と、出力部２４０とを含む。これらの各部は、いずれも、図示しない基板上に実装されたＣＰＵ、ＲＯＭ、およびＲＡＭなどによって構成される。
【００３５】
取得部２１０は、有線接続または無線接続によって外部機器と通信可能であり、外部機器から表示装置１００に表示される設定画像のデータを取得する。たとえば、取得部２１０は、ネットワークを介してクラウドサービスを利用した外部サーバと通信可能であり、外部サーバで蓄積された膨大な数の画像の中から表示装置１００に表示される画像のデータを取得する。管理記憶部２２０は、取得部２１０によって取得された画像データを蓄積して記憶する。また、取得部は、図示しないユーザインターフェースを用いてユーザによって作成された画像を取得し、その画像データを管理記憶部２２０に記憶させることも可能である。
【００３６】
特定部２３０は、診療装置１０からの特定信号に基づいて、設定画像ＩＤを特定する。そして、特定部２３０は、管理記憶部２２０に記憶された画像の中から、設定画像ＩＤに対応する設定画像を特定する。
【００３７】
出力部２４０は、特定部２３０によって特定された設定画像のデータを、診療装置１０および表示装置１００に出力する。
【００３８】
[表示装置の構成]
表示装置１００は、表示制御部１１０と、表示モニタ１２０とを含む。表示制御部１１０は、図示しない基板上に実装されたＣＰＵ、ＲＯＭ、およびＲＡＭなどによって構成される。表示モニタ１２０は、操作モニタ９よりも画像の表示領域が大きく、操作モニタ９の表示領域では表示しきれない画像を表示することができる。つまり、表示モニタ１２０は、操作モニタ９に比べて多くの情報量を表示することができ、操作モニタ９では表示できなかった画像を表示することができる。
【００３９】
たとえば、表示モニタ１２０は、患者のカルテの画像、根管内での切削工具の先端の位置を示す画像、および口腔内カメラによって撮影された口腔内の画像などを表示する。さらに、表示モニタ１２０に表示される設定画像は、操作モニタ９に表示された操作画像と関連する情報を含む。つまり、表示モニタ１２０は、操作モニタ９に操作画像が表示されると、当該操作画像に関連した設定画像を表示することができる。表示モニタ１２０に表示される設定画像は、操作モニタ９に表示される操作画像と異なる画像であり、操作モニタ９では表示できなかった情報を含む画像である。たとえば、表示モニタ１２０は、診療器具４を操作するためのアイコン画像に関連した診療器具４の設定画像、およびフートコントローラ５の各スイッチを割り当てるアイコン画像に関連した現在の割り当て状況を表す画像などを表示する。なお、表示モニタ１２０は、上述した画像に加えて、操作モニタ９に表示される画像と同じ画像が表示されてもよい。
【００４０】
表示制御部１１０は、管理装置２００と通信可能に接続されている。表示制御部１１０は、管理装置２００から出力された画像データに基づいて、表示モニタ１２０に設定画像を表示させる。
【００４１】
なお、診療システム１０００は、図１に示す構成以外の構成、および図２に示す機能部以外の機能部を備えていてもよい。
【００４２】
[診療システムの主な動作]
上記のような構成を有する診療システム１０００は、次のように動作する。診療装置１０において、診療制御部１２は、操作モニタ９に操作画像を表示させる。また、診療制御部１２は、対応情報テーブルに基づいて、表示中の操作画像に対応付けられた設定画像ＩＤを特定し、その設定画像ＩＤを示す特定信号を、出力部１５を介して管理装置２００に出力する。管理装置２００において、特定部２３０は、診療装置１０からの特定信号に基づいて、設定画像ＩＤに対応する設定画像を管理記憶部２２０から取得し、出力部２４０を介してその設定画像の画像データを表示装置１００に出力する。表示装置１００は、管理装置２００からの画像データに基づいて、設定画像を表示モニタ１２０に表示する。
【００４３】
これにより、操作モニタ９に表示中の操作画像に対応付けられた設定画像が表示モニタ１２０に表示される。操作画像が変更されると、上述した動作によって、変更後の操作画像に対応付けられた設定画像が表示モニタ１２０に表示される。
【００４４】
ここで、管理装置２００において、管理記憶部２２０は、ユーザが所望する画像を記憶することができる。たとえば、ユーザは、自身が作成した電子文書、あるいはネットワークを介して取得した取扱説明書の電子文書などを、設定画像として外部サーバに記憶させておくことができる。管理装置２００は、管理記憶部２２０に記憶された設定画像の中から、ユーザが所望する設定画像の画像データを、表示装置１００に出力することで表示モニタ１２０に表示させる。これにより、ユーザは、ある操作画像が操作モニタ９に表示されているときに、自身の好きな設定画像を表示装置１００に表示することができる。
【００４５】
また、ユーザによってカスタマイズされた設定画像の画像データは、出力部２４０を介して診療装置１０にも出力される。診療装置１０においては、ブックマークアイコン画像が押圧操作されると、診療制御部１２および出力部１５によって、その時点で操作モニタ９に表示中の操作画像の操作画像ＩＤと、表示モニタ１２０に表示中の設定画像の設定画像ＩＤとが対応付けられ、両者が対応情報テーブルに格納される。それ以降、操作モニタ９に表示される操作画像が切り替わったとしても、ユーザによってカスタマイズされた設定画像に対応づけられた操作画像が操作モニタ９に表示される度に、カスタマイズした設定画像が表示モニタ１２０に表示される。
【００４６】
このように、診療システム１０００においては、操作モニタ９に表示される操作画像が変化すると、変化後の操作画像に対応する設定画像が表示モニタ１２０に表示される。さらに、診療システム１０００においては、ユーザは、初期設定時の設定画像を所望の設定画像に変更させた上でブックマークアイコン画像を押圧操作すれば、表示モニタ１２０に表示される設定画像をカスタマイズすることができる。
【００４７】
[初期設定時の対応情報テーブルの一例]
図３は、初期設定時の対応情報テーブルの一例を説明するための図である。図３に示すように、対応情報テーブルには、操作画像ＩＤに対応付けられて設定画像ＩＤが格納されている。さらに、対応情報テーブルの種別欄には、初期設定またはユーザ設定のいずれかが示されている。図３に示す対応情報テーブルは、初期設定時のものであるため、種別欄には初期設定を表す“初期”の情報が格納されている。
【００４８】
操作画像ＩＤ＝ａのときの操作画像の内容としては、メニュー画面が設定されている。初期設定時において、操作画像ＩＤ＝ａには設定画像ＩＤ＝Ａが対応付けられており、その設定画像の内容としては、何らの画像も設定されていない。
【００４９】
操作画像ＩＤ＝ｂのときの操作画像の内容としては、診療器具４の選択画面が設定されている。初期設定時において、操作画像ＩＤ＝ｂには設定画像ＩＤ＝Ｂが対応付けられており、その設定画像の内容としては、フートコントローラ５の各スイッチに対する現在の割り当て状況を表す画面が設定されている。
【００５０】
操作画像ＩＤ＝ｂ１のときの操作画像の内容としては、エアタービンハンドピース１の設定画面が設定されている。初期設定時において、操作画像ＩＤ＝ｂ１には設定画像ＩＤ＝Ｂ１が対応付けられており、その設定画像の内容としては、エアタービンハンドピース１についての各設定の詳細画面が設定されている。
【００５１】
操作画像ＩＤ＝ｂ２のときの操作画像の内容としては、エアタービンハンドピース２の設定画面が設定されている。初期設定時において、操作画像ＩＤ＝ｂ２には設定画像ＩＤ＝Ｂ２が対応付けられており、その設定画像の内容としては、エアタービンハンドピース２についての各設定の詳細画面が設定されている。
【００５２】
操作画像ＩＤ＝ｂ３のときの操作画像の内容としては、マイクロモータハンドピースの設定画面が設定されている。初期設定時において、操作画像ＩＤ＝ｂ３には設定画像ＩＤ＝Ｂ３が対応付けられており、その設定画像の内容としては、マイクロモータハンドピースについての各設定の詳細画面が設定されている。
【００５３】
操作画像ＩＤ＝ｂ４のときの操作画像の内容としては、スケーラの設定画面が設定されている。初期設定時において、操作画像ＩＤ＝ｂ４には設定画像ＩＤ＝Ｂ４が対応付けられており、その設定画像の内容としては、スケーラについての各設定の詳細画面が設定されている。
【００５４】
操作画像ＩＤ＝ｂ５のときの操作画像の内容としては、シリンジ（スリーウェイシリンジ）の設定画面が設定されている。初期設定時において、操作画像ＩＤ＝ｂ５には設定画像ＩＤ＝Ｂ５が対応付けられており、その設定画像の内容としては、スリーウェイシリンジについての各設定の詳細画面が設定されている。
【００５５】
操作画像ＩＤ＝ｃのときの操作画像の内容としては、時刻の設定画面が設定されている。初期設定時において、操作画像ＩＤ＝ｃには設定画像ＩＤ＝Ｃが対応付けられており、その設定画像の内容としては、設定前後の時刻を表す画面が設定されている。
【００５６】
操作画像ＩＤ＝ｄのときの操作画像の内容としては、診療器具４などのメンテナンスの手順を表す画面が設定されている。たとえば、歯科診療用のインスツルメントである診療器具４に溜まった残留水、および診療装置１０内に溜まった残留水などを排出（フラッシングともいう）し、同時にサライバエジェクタ（排唾管）やバキュームチップなどの歯科診療をアシストするためのアシスト用インスツルメントに水を流し込んで洗浄するための手順を表す画像が設定されている。初期設定時において、操作画像ＩＤ＝ｄには設定画像ＩＤ＝Ｄ１およびＤ２が対応付けられており、その設定画像の内容としては、診療器具４などの自動洗浄の取扱説明書の内容を表す電子文書が設定されている。
【００５７】
[ユーザ設定時の対応情報テーブルの一例]
図４は、ユーザ設定時の対応情報テーブルの一例を説明するための図である。ユーザによって設定画像がカスタマイズされた上で、ブックマークアイコン画像の押圧操作によってユーザ設定が反映されると、図４に示すように、対応情報テーブルに格納された設定画像ＩＤおよび種別が更新される。
【００５８】
図４に示すように、操作画像ＩＤ＝ａに対応付けられた設定画像ＩＤは、初期設定時の“Ａ”から“Ｚ１”に変更され、さらに種別が“初期”から“変更”に変更されている。設定画像ＩＤ＝Ｚ１のときの設定画像の内容としては、「こんにちは」の文字画像が設定されている。つまり、操作モニタ９にメニュー画面が表示されている場合、初期設定時では、表示モニタ１２０に何らの画像も表示されなかったが、ユーザ設定時では、表示モニタ１２０に「こんにちは」の文字画像が表示される。
【００５９】
操作画像ＩＤ＝ｂのときの設定画像ＩＤは、初期設定時の“Ｂ”から変更されていないため、初期設定時と同じく、表示モニタ１２０にフートコントローラ５の各スイッチに対する現在の割り当て状況を表す画面が表示される。
【００６０】
操作画像ＩＤ＝ｂ１のときの設定画像ＩＤは、初期設定時の“Ｂ１”から“Ｚ２”に変更され、さらに種別が“初期”から“変更”に変更されている。設定画像ＩＤ＝Ｚ２のときの設定画像の内容としては、エアタービンハンドピース１の取扱説明書の内容を表す電子文書が設定されている。つまり、初期設定時では、操作モニタ９にエアタービンハンドピース１の設定画面が表示されている場合、表示モニタ１２０にエアタービンハンドピース１についての各設定の詳細画面が表示されていたが、ユーザ設定時では、表示モニタ１２０にエアタービンハンドピース１の取扱説明書の内容を表す電子文書が表示される。
【００６１】
操作画像ＩＤ＝ｂ２のときの設定画像ＩＤは、初期設定時の“Ｂ２”から“Ｚ３”に変更され、さらに種別が“初期”から“変更”に変更されている。設定画像ＩＤ＝Ｚ３のときの設定画像の内容としては、エアタービンハンドピース２の取扱説明書の内容を表す電子文書が設定されている。つまり、操作モニタ９にエアタービンハンドピース２の設定画面が表示されている場合、初期設定時では、表示モニタ１２０にエアタービンハンドピース２についての各設定の詳細画面が表示されていたが、ユーザ設定時では、表示モニタ１２０にエアタービンハンドピース２の取扱説明書の内容を表す電子文書が表示される。
【００６２】
操作画像ＩＤ＝ｂ３のときの設定画像ＩＤは、初期設定時の“Ｂ３”から“Ｚ４”に変更され、さらに種別が“初期”から“変更”に変更されている。設定画像ＩＤ＝Ｚ４のときの設定画像の内容としては、ユーザが作成したマイクロモータハンドピースについての設定内容を表す電子文書が設定されている。つまり、操作モニタ９にマイクロモータハンドピースの設定画面が表示されている場合、初期設定時では、表示モニタ１２０にマイクロモータハンドピースについての各設定の詳細画面が表示されていたが、ユーザ設定時では、表示モニタ１２０にユーザが作成したマイクロモータハンドピースについての設定内容を表す電子文書が表示される。
【００６３】
操作画像ＩＤ＝ｂ４のときの設定画像ＩＤは、初期設定時の“Ｂ４”から“Ｚ５”に変更され、さらに種別が“初期”から“変更”に変更されている。設定画像ＩＤ＝Ｚ５のときの設定画像の内容としては、スケーラの取扱説明書の内容を表す電子文書が設定されている。つまり、操作モニタ９にスケーラの設定画面が表示されている場合、初期設定時では、表示モニタ１２０にスケーラについての各設定の詳細画面が表示されていたが、ユーザ設定時では、表示モニタ１２０にスケーラの取扱説明書の内容を表す電子文書が表示される。
【００６４】
操作画像ＩＤ＝ｂ５のときの設定画像ＩＤは、初期設定時の“Ｂ５”から“Ｚ６”に変更され、さらに種別が“初期”から“変更”に変更されている。設定画像ＩＤ＝Ｚ６のときの設定画像の内容としては、スリーウェイシリンジの取扱説明書の内容を表す電子文書が設定されている。つまり、操作モニタ９にスリーウェイシリンジの設定画面が表示されている場合、初期設定時では、表示モニタ１２０にスリーウェイシリンジについての各設定の詳細画面が表示されていたが、ユーザ設定時では、表示モニタ１２０にスリーウェイシリンジの取扱説明書の内容を表す電子文書が表示される。
【００６５】
操作画像ＩＤ＝ｃのときの設定画像ＩＤは、初期設定時の“Ｃ”から変更されていないため、初期設定時と同じく、表示モニタ１２０に設定前後の時刻を表す画面が表示される。
【００６６】
操作画像ＩＤ＝ｄのときの設定画像ＩＤは、初期設定時の“Ｄ１”および“Ｄ２”に“Ｚ７”が新たに加えられ、さらに種別が“初期”から“変更”に変更されている。設定画像ＩＤ＝Ｚ７のときの設定画像の内容としては、ユーザが作成したオートクレーブの手順を表す電子文書が設定されている。つまり、操作モニタ９に診療器具４などのメンテナンスの手順を表す画面が表示されている場合、初期設定時では、表示モニタ１２０に自動洗浄の取扱説明書の内容を表す電子文書が表示されていたが、ユーザ設定時では、新たに、表示モニタ１２０にユーザが作成した診療器具４などのオートクレーブの手順を表す電子文書が表示される。なお、オートクレーブとは、高温高圧の飽和水蒸気を利用した滅菌処理である。
【００６７】
[メニュー画面に対応する設定画像のカスタマイズの一例］
図５および図６を参照しながら、操作モニタ９にメニュー画面が表示されている場合について、表示モニタ１２０に表示される設定画像のカスタマイズの一例を説明する。図５は、初期設定時におけるメニュー画面に対応する設定画像の一例を説明するための図である。図６は、ユーザ設定時におけるメニュー画面に対応する設定画像の一例を説明するための図である。
【００６８】
図５および図６に示すように、操作モニタ９には、操作画像ＩＤ＝ａに対応するメニュー画面が表示されている。メニュー画面には、各診療器具４を選択および設定するためのアイコン画像ｇ１、時刻を設定するためのアイコン画像ｇ２、メンテナンスを開始するためのアイコン画像ｇ３、およびユーザ設定を行うためのアイコン画像ｇ４が表示される。また、メニュー画面の右上には、ユーザが所望する設定画像を、操作画像であるメニュー画面に対応付けて表示モニタ１２０に表示させるためのブックマークアイコン画像ｇが表示される。
【００６９】
図５に示すように、初期設定時においては、操作モニタ９にメニュー画面が表示されているときに、表示モニタ１２０には、設定画像ＩＤ＝Ａに対応して何らの画像も表示されない。
【００７０】
ここで、操作モニタ９にメニュー画面が表示されているときに、表示モニタ１２０に何らの画像も表示されないと、ユーザにとっては面白みがない。そこで、図６に示すように、ユーザは、表示モニタ１２０の設定画像をカスタマイズすることができる。具体的には、設定画像ＩＤが“Ａ”から“Ｚ１”に変更されており、操作モニタ９にメニュー画面が表示されているときに、表示モニタ１２０には、設定画像ＩＤ＝Ｚ１に対応する「こんにちは」の文字画像が表示される。
【００７１】
このように、ユーザは、操作モニタ９にメニュー画面が表示されている場合において、表示モニタ１２０では、何らの画像も表示されずに面白みがなかった状態から、「こんにちは」の文字画像が表示されるようにカスタマイズすることができる。
【００７２】
[マイクロモータハンドピースの設定画面に対応する設定画像のカスタマイズの一例］
図７および図８を参照しながら、操作モニタ９にマイクロモータハンドピースの設定画面が表示されている場合について、表示モニタ１２０に表示される設定画像のカスタマイズの一例を説明する。図７は、初期設定時におけるマイクロモータハンドピースの設定画面に対応する設定画像の一例を説明するための図である。図８は、ユーザ設定時におけるマイクロモータハンドピースの設定画面に対応する設定画像の一例を説明するための図である。
【００７３】
図７および図８に示すように、操作モニタ９には、操作画像ＩＤ＝ｂ３に対応するマイクロモータハンドピースの設定画面が表示されている。ユーザは、図５および図６に示すアイコン画像ｇ１を押圧操作し、さらにマイクロモータハンドピースを選択するためのアイコン画像（図示は省略する）を押圧操作することで、マイクロモータハンドピースの設定画面を操作モニタ９に表示することができる。あるいは、ユーザは、マイクロモータハンドピースに対応する診療器具４ｃをインスツルメントホルダ３０から取り出すことによって、マイクロモータハンドピースの設定画面を操作モニタ９に表示することができる。
【００７４】
マイクロモータハンドピースの設定画面には、マイクロモータハンドピースの先端部に設けられたＨＰ注水部を設定するためのアイコン画像ｇ５、マイクロモータハンドピースの先端部に設けられたＨＰライトを設定するためのアイコン画像ｇ６、マイクロモータハンドピースの回転速度のモードを切り替えるためのアイコン画像ｇ７、マイクロモータハンドピースの回転方向のモードを切り替えるためのアイコン画像ｇ８、およびマイクロモータハンドピースの回転数を示すアイコン画像ｇ９などが表示される。また、メニュー画面の右上には、ユーザが所望する設定画像を、操作画像であるマイクロモータハンドピースの設定画面に対応付けて表示モニタ１２０に表示させるためのブックマークアイコン画像ｇが表示される。
【００７５】
ユーザは、アイコン画像ｇ５を選択すると、ＨＰ注水部による注水のＯＮとＯＦＦとを切り替えることができる。この例では、ＨＰ注水部による注水がＯＦＦ状態であり、アイコン画像ｇ５が消灯している。ユーザは、アイコン画像ｇ６を選択すると、ＨＰライトによる点灯のＯＮとＯＦＦとを切り替えることができる。この例では、ＨＰライトがＯＦＦ状態であり、アイコン画像ｇ６が消灯している。ユーザは、アイコン画像ｇ７を選択すると、マイクロモータハンドピースの回転速度を、一定速モードと可変速モードとで切り替えることができる。この例では、マイクロモータハンドピースの回転速度が一定速モードに設定されており、アイコン画像ｇ７が一定速モードに設定中である旨を「Fixed」という語で表している。ユーザは、アイコン画像ｇ８を選択すると、マイクロモータハンドピースの回転方向を、正転モード（先端の切削工具が工具先端に向かって時計回りに回転するモード）と逆転モード（先端の切削工具が工具先端に向かって反時計回りに回転するモード）とで切り替えることができる。この例では、マイクロモータハンドピースの回転方向が逆転モードに設定されており、アイコン画像ｇ８が逆転モードに設定中である旨を「ACW（Anti-ClockWise）」という語で表している。ユーザがマイクロモータハンドピースの回転数を切り替えると、アイコン画像ｇ９の値が変化する。この例では、回転数が４００００ｒｐｍに設定されている旨が表されている。
【００７６】
図７に示すように、操作モニタ９にマイクロモータハンドピースの設定画面が表示されている場合、初期設定時においては、表示モニタ１２０には、設定画像ＩＤ＝Ｂ３に対応してマイクロモータハンドピースについての各設定の詳細画面が表示される。具体的には、図７に示すアイコン画像ｇ５〜ｇ８のみでは、各アイコン画像がどのような機能を表しているのかについて、ユーザが十分に理解できない場合がある。そこで、図７に示す操作画面が操作モニタ９に表示されている間、表示モニタ１２０には、操作画像に関連する設定画像として、各アイコン画像ｇ５〜ｇ８をユーザが押圧操作する際に必要な情報を含むアイコン画像Ｇ５〜Ｇ８が表示される。
【００７７】
たとえば、アイコン画像Ｇ５は、アイコン画像ｇ５と関連し、アイコン画像ｇ５が示す機能および設定中のＨＰ注水部のＯＮ／ＯＦＦ状態を説明する画像である。この例では、ＨＰ注水部がＯＦＦ状態である旨およびマイクロモータハンドピースの回転中に水が出ない旨を説明するアイコン画像Ｇ５が表示される。アイコン画像Ｇ６は、アイコン画像ｇ６と関連し、アイコン画像ｇ６が示す機能および設定中のＨＰライトのＯＮ／ＯＦＦ状態を説明する画像である。この例では、ＨＰライトがＯＦＦ状態である旨およびマイクロモータハンドピースの回転中にＨＰライトが消灯している旨を説明するアイコン画像Ｇ６が表示される。アイコン画像Ｇ７は、アイコン画像ｇ７と関連し、アイコン画像ｇ７が示す機能および設定中のマイクロモータハンドピースの回転速度の一定速／可変速モードを説明する画像である。この例では、マイクロモータハンドピースの回転速度が一定速モードである旨およびペダルを踏むと先端の切削工具がマイクロモータハンドピースの性能に応じた最高速で回転する旨を説明するアイコン画像Ｇ７が表示される。アイコン画像Ｇ８は、アイコン画像ｇ８と関連し、アイコン画像ｇ８が示す機能および設定中のマイクロモータハンドピースの回転方向の正転／逆転モードを説明する画像である。この例では、マイクロモータハンドピースの回転方向が逆転モードである旨および先端の切削工具が工具先端に向かって反時計回りで回転する旨を説明するアイコン画像Ｇ８が表示される。アイコン画像Ｇ９は、アイコン画像ｇ９と関連し、設定中のマイクロモータハンドピースの回転数を示す画像である。
【００７８】
このように、初期設定時においては、操作モニタ９にマイクロモータハンドピースの設定画面が表示されているときに、各アイコン画像がどのような機能を表しているのかについてユーザが十分に理解できるように、表示モニタ１２０には、マイクロモータハンドピースについての各設定の詳細画面が表示される。
【００７９】
ここで、既にマイクロモータハンドピースの設定画面における各アイコン画像が示す機能や設定方法などを十分に理解しているユーザにとっては、表示モニタ１２０に表示されるマイクロモータハンドピースについての各設定の詳細画面は必要がない。そこで、図８に示すように、ユーザは、表示モニタ１２０の設定画像をカスタマイズすることができる。具体的には、設定画像ＩＤが“Ｂ３”から“Ｚ４”に変更されており、操作モニタ９にマイクロモータハンドピースの設定画面が表示されているときに、表示モニタ１２０には、設定画像ＩＤ＝Ｚ４に対応してユーザが作成したマイクロモータハンドピースについての設定内容を表す電子文書が表示される。この電子文書には、たとえば、マイクロモータハンドピースのヘッド部に保持されるファイル（切削工具）の径ごとに、ユーザの経験から得られた最適なマイクロモータハンドピースの回転速度および回転モードが表されている。なお、図８の表示モニタ１２０に表示されている回転速度は、マイクロモータに対して等速変換ハンドピースを接続した場合を想定して、マイクロモータの回転速度を設定および表示したときのものである。たとえばマイクロモータに対して回転速度を１０分の１に減速するコントラアングルハンドピースを接続する場合、マイクロモータ自体の回転速度は、所望の回転速度の１０倍を想定して設定および表示する必要がある。そのような場合においても、ユーザは、自身の経験や好みに応じた表示を行うように画面をカスタマイズすることができる。
【００８０】
このように、ユーザは、操作モニタ９にマイクロモータハンドピースの設定画面が表示されている場合において、自らの経験によって得られたノウハウを示した画像を表示モニタ１２０に表示することができる。
【００８１】
[メンテナンスの手順画面に対応する設定画像のカスタマイズの一例］
図９および図１０を参照しながら、操作モニタ９に診療器具４などのメンテナンスの手順を表す画面が表示されている場合について、表示モニタ１２０に表示される設定画像のカスタマイズの一例を説明する。図９は、初期設定時におけるメンテナンスの手順画面に対応する設定画像の一例を説明するための図である。図１０は、ユーザ設定時におけるメンテナンスの手順画面に対応する設定画像の一例を説明するための図である。
【００８２】
図９および図１０に示すように、操作モニタ９には、操作画像ＩＤ＝ｄに対応するメンテナンスの手順を表す画面が表示されている。ユーザは、図５および図６に示すアイコン画像ｇ３を押圧操作することで、メンテナンスの手順を表す画面を操作モニタ９に表示することができる。
【００８３】
メンテナンスの手順を表す画面には、診療器具４をフラッシング装置に挿入する旨を示すアイコン画像ｇ１０、およびアシスト用インスツルメントを洗浄装置に挿入する旨を示すアイコン画像ｇ１１などが表示される。また、メンテナンスの手順を表す画面の右上には、ユーザが所望する設定画像を、操作画像であるメンテナンスの手順を表す画面に対応付けて表示モニタ１２０に表示させるためのブックマークアイコン画像ｇが表示される。
【００８４】
通常、メンテナンスの詳細な手順は診療装置１０の取扱説明書に記載されており、ユーザは、操作モニタ９に表示された操作画像から得られる情報のみでは完全に手順を理解することは難しい。そこで、図９に示すように、初期設定時においては、操作モニタ９にメンテナンスの手順を表す画面が表示されているときに、表示モニタ１２０には、設定画像ＩＤ＝Ｄ１およびＤ２に対応して診療器具４などの自動洗浄の取扱説明書の内容を表す電子文書が表示される。なお、表示モニタ１２０においては、設定画像ＩＤ＝Ｄ１に対応する電子文書と、設定画像ＩＤ＝Ｄ２に対応する電子文書とで、所定期間ごと（たとえば、５秒間ごと）に画面が切り替わる。
【００８５】
ここで、ユーザによっては、メンテナンスの一環として診療器具４などのオートクレーブを行う場合もある。そこで、図１０に示すように、ユーザは、表示モニタ１２０の設定画像をカスタマイズすることができる。具体的には、設定画像ＩＤとして、“Ｄ１”および“Ｄ２”に新たに“Ｚ７”が加えられ、操作モニタ９にメンテナンスの手順を表す画面が表示されているときに、表示モニタ１２０には、設定画像ＩＤ＝Ｚ７に対応してユーザが作成した診療器具４などのオートクレーブの手順を表す電子文書が新たに表示される。なお、表示モニタ１２０においては、設定画像ＩＤ＝Ｄ１に対応する電子文書と、設定画像ＩＤ＝Ｄ２に対応する電子文書と、設定画像ＩＤ＝Ｚ７に対応する電子文書とで、所定期間ごと（たとえば、５秒間ごと）に画面が切り替わる。
【００８６】
このように、ユーザは、操作モニタ９にメンテナンスの手順を表す画面が表示されている場合において、自らが作成したオートクレーブの手順を表す電子文書を表示モニタ１２０に表示するようにカスタマイズすることができる。
【００８７】
[主な構成］
次に、本実施の形態に係る診療システム１０００および診療装置１０の主な構成を説明する。
【００８８】
本実施の形態に係る診療システム１０００は、診療を行うための診療装置１０と、診療装置１０に関連する設定画像を表示する表示装置１００と、表示装置１００に表示される設定画像を管理する管理装置２００とを備える。診療装置１０は、当該診療装置１０の動作状況に応じて表示装置１００の表示モニタ１２０に表示される設定画像を設定する診療制御部１２と、診療制御部１２で設定された診療装置１０の動作状況に至った場合に、動作状況に基づく特定信号を管理装置２００に出力する出力部１５とを含む。管理装置２００は、出力部１５からの特定信号に基づいて、診療制御部１２で設定された設定画像を特定する特定部２３０を含む。表示装置１００は、特定部２３０で特定された設定画像を表示モニタ１２０に表示する。
【００８９】
これにより、診療装置１０の動作状況に応じて、ユーザが所望する設定画像を表示装置１００の表示モニタ１２０に表示させることができるため、利便性が向上する。
【００９０】
診療装置１０は、診療装置の動作状況に応じて表示態様が切り替わる操作モニタ９を含む。診療制御部１２は、操作モニタ９の表示態様に応じて、ユーザが所望する設定画像を、表示モニタ１２０に表示される設定画像として設定する。
【００９１】
これにより、操作モニタ９の表示態様が切り替わることに応じて、ユーザが所望する設定画像を表示モニタ１２０に表示させることができるため、利便性が向上する。
【００９２】
診療装置１０は、診療を行うための診療器具４などの診療機器を含む。診療制御部１２は、診療機器の使用状況に応じて操作モニタ９の表示態様を切り替え、それに応じてユーザが所望する設定画像を表示モニタ１２０に表示される設定画像として設定する。
【００９３】
これにより、診療機器の使用状況に応じて操作モニタ９の表示態様が切り替わり、それに応じてユーザが所望する設定画像を表示モニタ１２０に表示させることができるため、利便性が向上する。
【００９４】
診療装置１０は、当該診療装置１０の動作状況と、当該動作状況に対応する設定画像とを対応付ける対応情報テーブルを記憶する診療記憶部１３を含む。診療制御部１２は、対応情報テーブルを更新することで、診療装置１０の動作状況に応じて設定画像を設定する。出力部１５は、診療制御部１２で設定された診療装置１０の動作状況に至った場合に、対応情報テーブルに基づいて、当該動作状況に対応する設定画像の設定画像ＩＤを示す特定信号を管理装置２００に出力する。
【００９５】
これにより、診療装置１０が記憶する対応情報テーブルを用いることで、診療装置１０の動作状況に応じて、ユーザが所望する設定画像を表示モニタ１２０に表示させることができるため、利便性が向上する。
【００９６】
診療装置１０は、ユーザによって操作されるブックマークアイコン画像ｇを操作モニタ９に表示する。診療制御部１２は、ブックマークアイコン画像ｇに対するユーザの押圧操作に基づいて、ユーザが所望する設定画像を、表示モニタ１２０に表示される設定画像として設定する。
【００９７】
これにより、ユーザによるブックマークアイコン画像ｇの押圧操作によって、診療装置１０の動作状況に応じて、ユーザが所望する設定画像を表示モニタ１２０に表示させることができるため、利便性が向上する。
【００９８】
管理装置２００は、表示装置１００に表示される設定画像を、ネットワークを介して取得する取得部２１０を含む。診療制御部１２は、診療装置１０の動作状況に応じて、取得部２１０によって取得された画像を、表示モニタ１２０に表示される設定画像として設定する。
【００９９】
これにより、ネットワークを介して取得された画像を、診療装置１０の動作状況に応じて、表示モニタ１２０に表示させることができるため、利便性が向上する。
【０１００】
診療制御部１２は、診療装置１０の動作状況に応じて、電子文書が示された画像を、表示モニタ１２０に表示される設定画像として設定する。
【０１０１】
これにより、電子文書が示された画像を診療装置１０の動作状況に応じて設定画像としてユーザが設定することができるため、利便性が向上する。
【０１０２】
本実施の形態に係る診療装置１０は、当該診療装置の動作状況に応じて、表示装置１００の表示モニタ１２０に表示される診療装置１０に関連する設定画像を設定する診療制御部１２と、診療制御部１２で設定された診療装置１０の動作状況に至った場合に、当該動作状況に基づく特定信号を、表示装置１００に表示される設定画像を管理する管理装置２００に出力する出力部１５とを含む。出力部１５は、特定信号を管理装置２００に出力することで、当該管理装置２００に設定部で設定された設定画像を表示モニタ１２０に表示させる。
【０１０３】
これにより、診療装置１０の動作状況に応じて、ユーザが所望する設定画像を表示装置１００の表示モニタ１２０に表示させることができるため、利便性が向上する。
【０１０４】
本実施の形態に係る診療システム１０００は、診療機器を操作するための操作画像を表示する操作モニタ９と、操作モニタ９とは異なる位置に設けられかつ当該操作モニタ９よりも表示領域が大きい表示モニタ１２０とを備える。表示モニタ１２０は、操作モニタ９に表示された操作画像とは異なる画像であって当該操作画像に関連した設定画像を表示する。表示モニタ１２０に表示される設定画像は、操作モニタ９に表示される操作画像に関連した詳細情報を含む画像である。表示モニタ１２０は、操作モニタ９に表示された操作画像に対するユーザの操作に応じて設定画像を切り替える。表示モニタ１２０は、選択された診療器具４の種類に応じて設定画像を切り替える。設定画像は、ユーザが操作画像を操作する際に必要な情報を含む画像である。操作画像は、診療器具４の機能を設定する際にユーザによって操作される画像であり、設定画像は、ユーザが診療器具４の機能を設定する際に必要な情報を含む画像である。操作画像は、診療器具４を手入れする際にユーザによって操作される画像であり、設定画像は、ユーザが診療器具４を手入れする際に必要な情報を含む画像である。
【０１０５】
以上のように、操作画像が表示される操作モニタ９よりも表示領域が大きい表示モニタ６に操作画像に関連した設定画像が表示されるため、ユーザが操作画像を操作する際の利便性が向上する。しかも、ユーザは、その設定画像をカスタマイズすることもできるため、利便性がさらに向上する。
【０１０６】
［変形例］
本発明は、上記の実施例に限られず、さらに種々の変形、応用が可能である。以下、本発明に適用可能な変形例について説明する。
【０１０７】
［対応情報テーブルの記憶場所について］
本実施の形態に係る診療システム１０００においては、図２に示すように、診療装置１０に含まれる診療記憶部１３が対応情報テーブルを記憶していた。しかし、これに限らず、図１１に示す診療システム１０００ａのように、管理装置２００ａに含まれる管理記憶部２２０ａが対応情報テーブルを記憶してもよい。図１１は、変形例に係る診療システム１０００ａの内部構成を概略的に示すブロック図である。なお、変形例に係る診療システム１０００ａは、以下で説明する構成以外の構成について、本実施の形態に係る診療システム１０００が備える構成と同様の構成を備える。
【０１０８】
図１１に示すように、変形例に係る診療システム１０００ａにおいては、管理装置２００ａに含まれる管理記憶部２２０ａが対応情報テーブルを記憶しており、診療装置１０ａの診療制御部１２ａは、出力部１５を介して操作画像ＩＤを特定可能な特定信号を管理装置２００ａに出力する。
【０１０９】
このような構成を有する診療システム１０００ａは、次のように動作する。診療装置１０ａにおいて、診療制御部１２ａは、操作モニタ９に操作画像を表示させる。また、診療制御部１２ａは、表示中の操作画像の操作画像ＩＤが含まれた特定信号を、出力部１５を介して管理装置２００ａに出力する。管理装置２００ａにおいて、特定部２３０ａは、診療装置１０ａからの特定信号に基づいて操作画像ＩＤを特定する。そして、特定部２３０ａは、管理記憶部２２０ａに記憶された対応情報テーブルに基づいて、操作画像ＩＤに対応付けられた設定画像ＩＤに対応する設定画像を管理記憶部２２０ａから取得し、出力部２４０を介してその設定画像の画像データを表示装置１００に出力する。表示装置１００は、管理装置２００ａからの画像データに基づいて、設定画像を表示モニタ１２０に表示する。
【０１１０】
これにより、操作モニタ９に表示中の操作画像に対応付けられた設定画像が表示モニタ１２０に表示される。操作画像が変更されると、上述した動作によって、変更後の操作画像に対応付けられた設定画像が表示モニタ１２０に表示される。
【０１１１】
管理装置２００ａは、管理記憶部２２０ａに記憶された設定画像の中から、ユーザが所望する設定画像の画像データを、表示装置１００に出力することで表示モニタ１２０に表示させる。これにより、ユーザは、ある操作画像が操作モニタ９に表示されているときに、自身の好きな設定画像を表示装置１００に表示することができる。
【０１１２】
診療装置１０においては、ブックマークアイコン画像が押圧操作されると、診療制御部１２ａによって、その時点で操作モニタ９に表示中の操作画像の操作画像ＩＤと、対応情報テーブルを更新させるための指令情報とを含む特定信号を、出力部１５を介して管理装置２００ａに出力する。管理装置２００ａは、特定信号に基づき、ブックマークアイコン画像が押圧操作されたことを特定すると、操作画像ＩＤと、その時点で表示モニタ１２０に表示中の設定画像の設定画像ＩＤとを対応付けて、両者を対応情報テーブルに格納する。それ以降、操作モニタ９に表示される操作画像が切り替わったとしても、ユーザによってカスタマイズされた設定画像に対応づけられた操作画像が操作モニタ９に表示される度に、カスタマイズした設定画像が表示モニタ１２０に表示される。
【０１１３】
このように、変形例に係る診療システム１０００ａにおいて、管理装置２００ａは、操作モニタ９に表示される操作画像と、当該操作画像に対応する設定画像とを対応付ける対応情報テーブルを記憶する管理記憶部２２０ａを含む。診療制御部１２ａは、管理装置２００ａに対応情報テーブルを更新させることで、診療装置１０ａの動作状況に応じて設定画像を設定する。出力部１５は、診療制御部１２ａの指令によって設定された操作画像が操作モニタ９に表示された場合に、当該操作画像の操作画像ＩＤを示す特定信号を管理装置２００ａに出力する。特定部２３０ａは、出力部１５からの特定信号と、対応情報テーブルとに基づいて、設定画像を特定する。
【０１１４】
これにより、管理装置２００ａが記憶する対応情報テーブルを用いることで、診療装置１０ａの動作状況に応じて、ユーザが所望する設定画像を表示モニタ１２０に表示させることができるため、利便性が向上する。
【０１１５】
［表示装置について］
本実施の形態においては、管理装置２００から直接的に表示装置１００に設定画像の画像データが出力されるものであったが、診療装置１０が管理装置２００から出力された設定画像の画像データを、表示装置１００に出力してもよい。つまり、診療装置１０が表示装置１００における表示モニタ１２０の表示を制御してもよい。このような場合、診療装置１０が設定画像の画像データを記憶することも考えられるが、前述したように、表示モニタ１２０は、操作モニタ９よりも画像の表示領域が大きく、操作モニタ９の表示領域では表示しきれない画像を表示するものであり、操作モニタ９に比べて多くの情報量を表示する。このため、設定画像の画像データは膨大になる。そこで、前述したように、管理装置２００が設定画像の画像データを蓄積して管理することで、診療装置１０の記憶容量を逼迫することを回避することができる。診療装置１０とは別の管理装置２００が設定画像の画像データを蓄積して管理していたとしても、対応情報テーブルを用いることで、操作モニタ９に表示される操作画像と、表示モニタ１２０に表示される設定画像とを対応付けて、両者を表示することができる。さらに、ユーザが設定画像をカスタマイズして、それをブックマークすることもできるため、利便性が向上する。
【０１１６】
表示装置１００は、デスクトップ型の表示装置に限らず、ノートパソコンなどの持ち運び自由な携帯端末であってもよい。また、表示装置１００は、診療装置１０に接続されて、診療装置１０によって表示の制御が行われてもよい。
【０１１７】
［管理装置について］
管理装置２００は、診療装置１０と同じ院内に配置されてもよいし、院外に配置されてもよい。たとえば、いわゆるクラウドサービスのような形態で複数の診療装置１０のそれぞれが管理装置２００とネットワークで接続されており、管理装置２００は、いずれの診療装置１０が配置された院内とは異なる遠隔地に存在するクラウドコンピュータであってもよい。
【０１１８】
図１１に示す変形例に係る診療システム１０００ａにおいて、管理装置２００は、複数の診療装置１０に接続されてもよい。そして、管理装置２００は、複数の診療装置１０のそれぞれに対応する対応情報テーブルを記憶してもよい。
【０１１９】
診療装置１０および管理装置２００の双方が対応情報テーブルを記憶してもよい。このようにすれば、一方の対応情報テーブルに異常が発生したとしても、他方の対応情報テーブルが残っているため、速やかに異常に対応することができる。
【０１２０】
［診療装置の動作状況について］
本実施の形態においては、操作モニタ９に表示されるアイコン画像をユーザが押圧操作したり、診療器具４をインスツルメントホルダ３０から取り出したりすることで、操作モニタ９の画面が切り替わることを、診療装置１０の動作状況が変化することとして例示した。しかしながら、診療装置１０の動作状況の変化は、このような例に限らない。たとえば、操作パネル８には、診療装置１０の各機能に対応してそれぞれが予め固定されて配列された機械式のスイッチを設けてもよい。そして、これらのスイッチはユーザによって押圧操作されることで点灯態様が変化するものであってもよく、このスイッチの点灯態様が切り替わることを、診療装置１０の動作状況が変化すると見なしてもよい。また、診療器具４をインスツルメントホルダ３０から取り出すことに限らず、たとえば、診療椅子を駆動させたり、ベースンユニットを駆動させたりなど、診療装置が備える診療機器の使用状況が変化することを、診療装置１０の動作状況が変化すると見なしてもよい。ユーザが診療装置１０を使用することで変化する診療装置１０に関する事項（使用場面，使用シーン）が変化することを、診療装置１０の動作状況が変化すると見なしてもよい。
【０１２１】
［対応情報テーブルの更新について］
本実施の形態においては、ユーザによってブックマークアイコン画像が押圧操作されることで、対応情報テーブルが更新されるものであったが、このような処理に限らない。たとえば、定期的に行われる処理によって、診療装置１０または管理装置２００によって、自動的に対応情報テーブルが更新されるものであってもよい。具体的には、操作モニタ９にメンテナンスの手順を表す画面が表示されるときに、表示モニタ１２０に自動洗浄の取扱説明書の内容を表す電子文書が表示されるように設定されている場合において、自動洗浄の取扱説明書が最新のものにバージョンアップすることも想定される。この場合、診療装置１０または管理装置２００によって自動的に対応情報テーブルが更新されることにより、表示モニタ１２０に表示される自動洗浄の取扱説明書の内容を表す電子文書が最新のものに変更されてもよい。また、診療装置１０の起動時または診療後など、診療に関わらないタイミングにおいて、「今週の歯科診療情報」や「新製品情報」などがユーザに向けて報知されるように、取得部２１０によってクラウドコンピュータから画像データが取得されて、対応情報テーブルが自動的に更新されてもよい。このように、対応情報テーブルは、ユーザによる手動に限らず、自動的に更新されてもよい。
【０１２２】
今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。なお、本実施の形態で例示された構成および変形例で例示された構成は、適宜組み合わせることができる。
【符号の説明】
【０１２３】
１  診療椅子、１ａ  ヘッドレスト、１ｂ  背もたれ、１ｃ  座面シート、１ｄ  足置き台、２  ベースンユニット、２ａ  鉢、２ｂ  コップ台、２ｃ  給水栓、３  トレーテーブル、４  診療器具、５  フートコントローラ、７  照明装置、８  操作パネル、９  操作モニタ、９ａ  タッチパネル、１０，１０ａ  診療装置、１１  シート駆動部、１２，１２ａ  診療制御部、１３  診療記憶部、１５，２４０  出力部、１６  ベースン制御部、１７  照明制御部、２０  制御装置、３０  インスツルメントホルダ、１００  表示装置、１１０  表示制御部、１２０  表示モニタ、２００，２００ａ  管理装置、２１０，３１０  取得部、２２０，２２０ａ  管理記憶部、２３０，２３０ａ  特定部、１０００，１０００ａ  診療システム。
【図１】
2019055025.tif 000003
【図２】
2019055025.tif 000004
【図３】
2019055025.tif 000005
【図４】
2019055025.tif 000006
【図５】
2019055025.tif 000007
【図６】
2019055025.tif 000008
【図７】
2019055025.tif 000009
【図８】
2019055025.tif 000010
【図９】
2019055025.tif 000011
【図１０】
2019055025.tif 000012
【図１１】
2019055025.tif 000013